(57)【要約】【課題】カバーレンズＤのレンズ部１２の肉厚を変化させる必要なく、第２反射面３からの照射光にグラデーション効果を生じさせる。【解決手段】光源Ｓ１からの光を反射する第１反射面２と、第１反射面２からの光を反射して照射方向に照射する第２反射面３とを設け、光源Ｓ１上に第１焦点を有する楕円弧を回転させることにより形成された回転楕円面によって第１反射面２を構成する。楕円弧の第２焦点を焦点（Ｐｄ，Ｐｈ）とする複数の放物線（３ａ，３ｂ，３ｃ，３ｄ，３ｅ，３ｆ，３ｇ，３ｈ，３ｉ）であって、焦点距離の異なる複数の放物線を連続的に配列することにより形成された放物系反射面によって第２反射面３を構成する。光源Ｓ１の主光軸線Ｌを中心とする回転量θが増加するに従って放物線（３ａ，３ｂ，３ｃ，３ｄ，３ｅ，３ｆ，３ｇ，３ｈ，３ｉ）の焦点距離が徐々に増加するように第２反射面３を形成する。【選択図】図１
2007184158.tif 000002
【特許請求の範囲】
【請求項１】
照射光にグラデーション効果が生じるようにした灯具において、光源と、前記光源からの光を反射するための第１反射面と、前記第１反射面からの光を反射して照射方向に照射するための第２反射面とを具備し、前記光源上あるいはその近傍に第１焦点を有する楕円弧を回転させることにより形成された回転楕円面によって前記第１反射面を構成し、楕円弧の第２焦点あるいはその近傍の点を焦点とする複数の放物線であって、焦点距離の異なる複数の放物線を連続的に配列することにより形成された放物系反射面によって前記第２反射面を構成し、光源の主光軸線を中心とする回転量が増加するに従って放物線の焦点距離が徐々に増加または減少するように、前記第２反射面を形成したことを特徴とする灯具。
【発明の詳細な説明】
【技術分野】
【０００１】
本発明は、照射光にグラデーション効果が生じるようにした灯具に関し、特には、レンズの肉厚を変化させる必要なく、照射光にグラデーション効果を生じさせることができる灯具に関する。
【０００２】
詳細には、本発明は、光源に供給される電流値を変化させる必要なく、レンズの肉厚を変化させる必要なく、照射光にグラデーション効果を生じさせることができる灯具に関する。
【背景技術】
【０００３】
従来から、グラデーション効果が生じるようにした灯具が知られている。この種の灯具の例としては、例えば実開平７−３０４１０号公報に記載されたものがある。
【０００４】
実開平７−３０４１０号公報に記載された車両用灯具では、光源としてバルブが設けられ、光源からの光を車両の前方へ反射するための反射面を備えたリフレクタが設けられている。更に、バルブおよびリフレクタを覆うためのレンズが設けられている。
【０００５】
実開平７−３０４１０号公報に記載された車両用灯具では、レンズの中央部の肉厚よりも、レンズの端部の肉厚が厚くされている。換言すれば、レンズの中央部からレンズの端部にいくに従ってレンズの肉厚が厚くされている。更に、実開平７−３０４１０号公報に記載された車両用灯具では、レンズの端部が透明な有色材によって着色されている。
【０００６】
詳細には、実開平７−３０４１０号公報に記載された車両用灯具では、透明な有色材によって着色されたレンズの端部のうち、レンズの中央部側の部分の肉厚が比較的薄くされ、レンズの中央部とは反対側の部分の肉厚が比較的厚くされている。
【０００７】
そのため、実開平７−３０４１０号公報に記載された車両用灯具では、レンズの端部のうち、レンズの中央部側の部分の色が比較的薄くなるのに対し、レンズの中央部とは反対側の部分の色が比較的濃くなるというグラデーション効果を生じている。
【０００８】
つまり、実開平７−３０４１０号公報に記載された車両用灯具によれば、光源に供給される電流値を変化させる必要なく、グラデーション効果を生じさせることができる。
【０００９】
ところで、実開平７−３０４１０号公報に記載された車両用灯具では、グラデーション効果を生じさせるために、上述したように、レンズの肉厚を変化させなければならない。特に、グラデーション効果を強くする場合には、レンズの肉厚の薄い部分と、レンズの肉厚の厚い部分とで、肉厚の差を大きくしなければならない。
【００１０】
一方、灯具が量産され、レンズのコストの低減が図られる場合には、レンズが削り加工ではなく、成形によって形成される。ところが、上述したように、グラデーション効果を強くするために、レンズの肉厚の薄い部分と、レンズの肉厚の厚い部分とで、肉厚の差を大きくしようとすると、レンズの成形条件の確立が難しくなってしまい、その結果、レンズのコストが嵩んでしまう。
【００１１】
【特許文献１】実開平７−３０４１０号公報
【発明の開示】
【発明が解決しようとする課題】
【００１２】
前記問題点に鑑み、本発明は、レンズの肉厚を変化させる必要なく、照射光にグラデーション効果を生じさせることができる灯具を提供することを目的とする。
【００１３】
詳細には、本発明は、光源に供給される電流値を変化させる必要なく、レンズの肉厚を変化させる必要なく、照射光にグラデーション効果を生じさせることができる灯具を提供することを目的とする。
【課題を解決するための手段】
【００１４】
請求項１に記載の発明によれば、照射光にグラデーション効果が生じるようにした灯具において、光源と、前記光源からの光を反射するための第１反射面と、前記第１反射面からの光を反射して照射方向に照射するための第２反射面とを具備し、前記光源上あるいはその近傍に第１焦点を有する楕円弧を回転させることにより形成された回転楕円面によって前記第１反射面を構成し、楕円弧の第２焦点あるいはその近傍の点を焦点とする複数の放物線であって、焦点距離の異なる複数の放物線を連続的に配列することにより形成された放物系反射面によって前記第２反射面を構成し、光源の主光軸線を中心とする回転量が増加するに従って放物線の焦点距離が徐々に増加または減少するように、前記第２反射面を形成したことを特徴とする灯具が提供される。
【発明の効果】
【００１５】
請求項１に記載の灯具では、光源と、光源からの光を反射するための第１反射面と、第１反射面からの光を反射して照射方向に照射するための第２反射面とが設けられている。
【００１６】
詳細には、請求項１に記載の灯具では、光源上あるいはその近傍に第１焦点を有する楕円弧を回転させることにより形成された回転楕円面によって第１反射面が構成されている。また、楕円弧の第２焦点あるいはその近傍の点を焦点とする複数の放物線であって、焦点距離の異なる複数の放物線を連続的に配列することにより形成された放物系反射面によって第２反射面が構成されている。
【００１７】
更に、請求項１に記載の灯具では、光源の主光軸線を中心とする回転量が増加するに従って放物線の焦点距離が徐々に増加または減少するように、第２反射面が形成されている。
【００１８】
つまり、請求項１に記載の灯具では、光源の主光軸線を中心とする回転量が増加するに従って、放物線の焦点距離が徐々に増加し、それにより、放物系反射面からの反射光の密度が徐々に小さくなり、放物系反射面からの反射光が暗くなる。あるいは、光源の主光軸線を中心とする回転量が増加するに従って、放物線の焦点距離が徐々に減少し、それにより、放物系反射面からの反射光の密度が徐々に大きくなり、放物系反射面からの反射光が明るくなる。
【００１９】
換言すれば、請求項１に記載の灯具では、光源の主光軸線を中心とする回転量が増加するに従って、放物系反射面により反射せしめられて照射される光の明るさが徐々に変化する。
【００２０】
そのため、請求項１に記載の灯具によれば、実開平７−３０４１０号公報に記載された灯具のようにレンズの肉厚を変化させる必要なく、照射光にグラデーション効果を生じさせることができる。
【００２１】
すなわち、請求項１に記載の灯具によれば、光源に供給される電流値を変化させる必要なく、レンズの肉厚を変化させる必要なく、照射光にグラデーション効果を生じさせることができる。
【発明を実施するための最良の形態】
【００２２】
以下、本発明の灯具の第１の実施形態について説明する。図１は第１の実施形態の灯具１の平面図、図２は図１のＡ−Ａ断面図、図３は図１のＢ−Ｂ断面図、図４は第１の実施形態の灯具１の斜視図である。詳細には、図１および図４では、カバーレンズＤのうち、光を透過させるためのレンズ部１２を透視して、第１の実施形態の灯具１を示してある。
【００２３】
図１〜図４において、Ｓ１，Ｓ２，Ｓ３，Ｓ４，Ｓ５，Ｓ６，Ｓ７，Ｓ８，Ｓ９は例えばＬＥＤのような光源を示している。Ｌは光源Ｓ１の主光軸線を示している。２は光源Ｓ１からの光を反射するための第１反射面を示している。第１反射面２は、光源Ｓ１の主光軸線Ｌを中心に楕円弧を回転させることにより形成された回転楕円面によって構成されている。
【００２４】
第１の実施形態の灯具１では、図２に示すように、第１反射面２を構成する楕円弧の第１焦点上に光源Ｓ１が配置されている。
【００２５】
更に、図１〜図４において、３は第１反射面２からの光を反射して照射方向（図２の上側）に照射するための第２反射面を示している。第２反射面３は、複数の放物線（３ａ，３ｂ，３ｃ，３ｄ，３ｅ，３ｆ，３ｇ，３ｈ，３ｉなど）を連続的に配列することにより形成された放物系反射面によって構成されている。
【００２６】
第１の実施形態の灯具１では、第２反射面３を構成する各放物線の焦点が、その放物線を含む平面内の楕円弧の第２焦点上に配置されている。具体的には、図２に示すように、第２反射面３を構成する放物線３ｄの焦点Ｐｄが、第１反射面２を構成する楕円弧（図２中の右側の楕円弧）の第２焦点上に配置されている。また、第２反射面３を構成する放物線３ｈの焦点Ｐｈが、第１反射面２を構成する楕円弧（図２中の左側の楕円弧）の第２焦点上に配置されている。
【００２７】
従って、第１の実施形態の灯具１では、図２に示すように、光源Ｓ１から図２の右側に放射された光は、まず最初に、第１反射面（回転楕円面）２の右側の部分によって反射せしめられて点Ｐｄを通過せしめられ、次いで、第２反射面３のうちの放物線３ｄによって反射せしめられ、次いで、カバーレンズＤのレンズ部１２を通過せしめられ、平行光となって図２の上側に照射される。また、光源Ｓ１から図２の左側に放射された光は、まず最初に、第１反射面（回転楕円面）２の左側の部分によって反射せしめられて点Ｐｈを通過せしめられ、次いで、第２反射面３のうちの放物線３ｈによって反射せしめられ、次いで、カバーレンズＤのレンズ部１２を通過せしめられ、平行光となって図２の上側に照射される。
【００２８】
また、第１の実施形態の灯具１では、図１および図２に示すように、光源Ｓ１（図２および図４参照）の主光軸線Ｌを中心とする回転量θが増加するに従って、放物線（３ａ，３ｂ，３ｃ，３ｄ，３ｅ，３ｆ，３ｇ，３ｈ，３ｉなど）の焦点距離が徐々に増加するように、第２反射面３が形成されている。
【００２９】
具体的には、図１および図２に示すように、光源Ｓ１の主光軸線Ｌを中心とする回転量θが３１５°に相当する放物線３ｈの焦点距離は、光源Ｓ１の主光軸線Ｌを中心とする回転量θが１３５°に相当する放物線３ｄの焦点距離よりも長くなっている。そのため、放物線３ｈは放物線３ｄよりも長くなっている。一方、放物線３ｈに入射する光の量と、放物線３ｄに入射する光の量とは等しくなっている。それゆえ、放物線３ｈからの反射光（図２の上側への照射光）の密度は、放物線３ｄからの反射光（図２の上側への照射光）の密度よりも低くなり、放物線３ｈからの反射光は、放物線３ｄからの反射光よりも暗くなる。
【００３０】
同様に、図１および図４に示すように、放物線３ｂは放物線３ａよりも長くなっており、放物線３ｂからの反射光は、放物線３ａからの反射光よりも暗くなる。また、放物線３ｃは放物線３ｂよりも長くなっており、放物線３ｃからの反射光は、放物線３ｂからの反射光よりも暗くなる。更に、放物線３ｄは放物線３ｃよりも長くなっており、放物線３ｄからの反射光は、放物線３ｃからの反射光よりも暗くなる。
【００３１】
また、図１および図４に示すように、放物線３ｅは放物線３ｄよりも長くなっており、放物線３ｅからの反射光は、放物線３ｄからの反射光よりも暗くなる。更に、放物線３ｆは放物線３ｅよりも長くなっており、放物線３ｆからの反射光は、放物線３ｅからの反射光よりも暗くなる。また、放物線３ｇは放物線３ｆよりも長くなっており、放物線３ｇからの反射光は、放物線３ｆからの反射光よりも暗くなる。
【００３２】
更に、図１および図４に示すように、放物線３ｈは放物線３ｇよりも長くなっており、放物線３ｈからの反射光は、放物線３ｇからの反射光よりも暗くなる。また、放物線３ｉは放物線３ｈよりも長くなっており、放物線３ｉからの反射光は、放物線３ｈからの反射光よりも暗くなる。
【００３３】
つまり、第１の実施形態の灯具１では、光源Ｓ１の主光軸線Ｌを中心とする回転量θが増加するに従って、第２反射面３を構成する放物線により反射せしめられて照射される光が徐々に暗くなっている。そのため、第１の実施形態の灯具１によれば、光源Ｓ１に供給される電流値を変化させる必要なく、また、カバーレンズＤのレンズ部１２の肉厚を変化させる必要なく、第２反射面３からの照射光にグラデーション効果を生じさせることができる。
【００３４】
また、図１〜図４において、４は光源Ｓ２からの光を照射方向（図１の手前側、図４の上側）に反射するための反射面を示している。反射面４は、光源Ｓ２の主光軸線を中心に放物線を回転させることにより形成された回転放物面によって構成され、その回転放物面の焦点上、あるいは、その近傍に光源Ｓ２が配置されている。５は光源Ｓ３からの光を照射方向（図１の手前側、図４の上側）に反射するための反射面を示している。反射面５は、光源Ｓ３の主光軸線を中心に放物線を回転させることにより形成された回転放物面によって構成され、その回転放物面の焦点上、あるいは、その近傍に光源Ｓ３が配置されている。
【００３５】
更に、図１〜図４において、６は光源Ｓ４からの光を照射方向（図１の手前側、図４の上側）に反射するための反射面を示している。反射面６は、光源Ｓ４の主光軸線を中心に放物線を回転させることにより形成された回転放物面によって構成され、その回転放物面の焦点上、あるいは、その近傍に光源Ｓ４が配置されている。７は光源Ｓ５からの光を照射方向（図１の手前側、図３および図４の上側）に反射するための反射面を示している。反射面７は、光源Ｓ５の主光軸線を中心に放物線を回転させることにより形成された回転放物面によって構成され、その回転放物面の焦点上、あるいは、その近傍に光源Ｓ５が配置されている。
【００３６】
また、図１〜図４において、８は光源Ｓ６からの光を照射方向（図１の手前側、図４の上側）に反射するための反射面を示している。反射面８は、光源Ｓ６の主光軸線を中心に放物線を回転させることにより形成された回転放物面によって構成され、その回転放物面の焦点上、あるいは、その近傍に光源Ｓ６が配置されている。９は光源Ｓ７からの光を照射方向（図１の手前側、図４の上側）に反射するための反射面を示している。反射面９は、光源Ｓ７の主光軸線を中心に放物線を回転させることにより形成された回転放物面によって構成され、その回転放物面の焦点上、あるいは、その近傍に光源Ｓ７が配置されている。
【００３７】
更に、図１〜図４において、１０は光源Ｓ８からの光を照射方向（図１の手前側、図４の上側）に反射するための反射面を示している。反射面１０は、光源Ｓ８の主光軸線を中心に放物線を回転させることにより形成された回転放物面によって構成され、その回転放物面の焦点上、あるいは、その近傍に光源Ｓ８が配置されている。１１は光源Ｓ９からの光を照射方向（図１の手前側、図４の上側）に反射するための反射面を示している。反射面１１は、光源Ｓ９の主光軸線を中心に放物線を回転させることにより形成された回転放物面によって構成され、その回転放物面の焦点上、あるいは、その近傍に光源Ｓ９が配置されている。
【００３８】
また、図１〜図４において、Ｃは第２反射面３および反射面４，５，６，７，８，９，１０，１１が形成された灯具本体を示している。
【００３９】
光源Ｓ２，Ｓ３，Ｓ４，Ｓ５，Ｓ６，Ｓ７，Ｓ８，Ｓ９およびそれらに対応する反射面４，５，６，７，８，９，１０，１１は、必要に応じて灯具１に設けられるものであり、灯具１として必要な配光を形成するためのものである。
【００４０】
第１の実施形態の灯具１では、図２に示すように、第１反射面２を構成する楕円弧の第１焦点上に光源Ｓ１が配置されているが、第２の実施形態の灯具１では、代わりに、第１反射面２を構成する楕円弧の第１焦点の近傍に光源Ｓ１を配置することも可能である。
【００４１】
更に、第１の実施形態の灯具１では、図２に示すように、カバーレンズＤの第１反射面２にアルミ蒸着が施されているが、第３の実施形態の灯具１では、代わりに、光源Ｓ１からの光が第１反射面２において全反射するように光源Ｓ１からの光の入射角を設定すると共に、第１反射面２にアルミ蒸着を施さないことも可能である。
【００４２】
また、第１の実施形態の灯具１では、上述したように、第２反射面３を構成する各放物線（３ｄ，３ｈ、図２参照）の焦点（Ｐｄ，Ｐｈ）が、その放物線を含む平面内の楕円弧（２）の第２焦点上に配置されているが、第４の実施形態の灯具１では、代わりに、第２反射面３を構成する各放物線の焦点を、第１反射面２を構成する楕円弧の第２焦点の近傍に配置することも可能である。
【００４３】
更に、第１の実施形態の灯具１では、図１に示すように、光源Ｓ１（図２および図４参照）の主光軸線Ｌを中心とする回転量θが増加するに従って、放物線（３ａ，３ｂ，３ｃ，３ｄ，３ｅ，３ｆ，３ｇ，３ｈ，３ｉなど）の焦点距離が徐々に増加するように、第２反射面３が形成されているが、第５の実施形態の灯具１では、代わりに、光源Ｓ１の主光軸線Ｌを中心とする回転量θが増加するに従って、放物線の焦点距離が徐々に減少するように、第２反射面３を形成することも可能である。
【００４４】
第６の実施形態では、上述した第１から第５の実施形態を適宜組合わせることも可能である。
【産業上の利用可能性】
【００４５】
本発明の灯具は、例えば車両用灯具、一般照明、遊技照明などに適用可能である。
【図面の簡単な説明】
【００４６】
【図１】第１の実施形態の灯具１の平面図である。
【図２】図１のＡ−Ａ断面図である。
【図３】図１のＢ−Ｂ断面図である。
【図４】第１の実施形態の灯具１の斜視図である。
【符号の説明】
【００４７】
１                            灯具
２                            第１反射面
３                            第２反射面
３ａ，３ｂ，３ｃ，３ｄ，３ｅ  放物線
３ｆ，３ｇ，３ｈ，３ｉ        放物線
４，５，６，７，８            反射面
９，１０，１１                反射面
１２                          レンズ部
Ｓ１，Ｓ２，Ｓ３，Ｓ４，Ｓ５  光源
Ｓ６，Ｓ７，Ｓ８，Ｓ９        光源
Ｃ                            灯具本体
Ｄ                            カバーレンズ
Ｌ                            主光軸線
【図１】
2007184158.tif 000003
【図２】
2007184158.tif 000004
【図３】
2007184158.tif 000005
【図４】
2007184158.tif 000006